(57)【要約】【課題】  ペットを固定して繋ぐためのリードにおいて、ペットの歩行に合わせてリードが弛むことなく、また、ペットの突然の動き出しに対して動きを制止させることを課題とする。【解決手段】  ペットを固定して繋ぐためのリードに巻き易い、強度のある材質の紐状のリードと、前記リードを自在に巻き取るリールと、前記リールからのペットの突然の動き出しに対してそれを制止するロック機構と、前記ロック機構を成すために固定用支柱と前記本体とを自在に回転させことができるように設けることを特徴とする。【選択図】図４
2008061631.tif 000002
【特許請求の範囲】
【請求項１】
ペットを固定して繋ぐためのリードと、前記リードを巻き取るリールと、前記リールから前記リードが引き出されたときのロック機構と、本体を建屋内外に固定する支柱とを内蔵する固定用リール式のペット用伸縮リード。
【請求項２】
ペットを繋いでおく固定式リードにおいて、前記リードを巻き取ることができることを特徴とする請求項１記載の固定用リール式のペット用伸縮リード。
【請求項３】
ペットを繋いでおく固定式リードにおいて、ペットが突然走り出したとき、すなわち前記リールから急にリードが引き出されたとき、前記リードを制止することができるロック機構を有することを特徴とする請求項１記載の固定用リール式のペット用伸縮リード。
【請求項４】
ペットを繋いでおく固定式リードにおいて、請求項３を成就させるために、本体を支える支柱と前記本体とが自在に回転できることを特徴とする前記請求項１の固定用リール式のペット用伸縮リード。
【請求項５】
ペットを繋いでおく固定式リードにおいて、前記リードは丸状または平状の紐で、材質はとしては巻き易く、耐熱耐水性に優れた、例えばナイロン繊維、ポリプロピレン繊維、アラミド繊維などを用いることを特徴とする前記請求項１の固定用リール式のペット用伸縮リード。
【発明の詳細な説明】
【技術分野】
【０００１】  本発明は、ペットを建屋内や建屋外の庭、駐車場などの広い場所で自由に遊ばせる場合などに、ペットを繋いでおく固定用リール式のペット用伸縮リードに関する。
【背景技術】
【０００２】  ペットを散歩させる場合などに、ペットを繋ぐリードとしてリードをリールによって巻き取り長さを自在に調整できるリール式のリードがある。このリール式のリードは、リードを適度の長さにした状態で固定する固定状態と、リードが自在に繰り出されるフリー状態の２つの状態に設定することができるものが多い。なお、フリー状態の場合は、ゼンマイによって自動的に巻き取られる力が発生し、リードが弛むことが防がれるようになっている。（特許文献１等参照）しかしながら、ペットを建屋内及び建屋外の庭などの広い場所で繋ぐ場合などにおいて固定用のリードには、上述のようなリードの長さを自在に調整できる機能がなく、また、ペットが突然走り出した場合、リードが伸びるのを防ぐような機能が付加されていない。
【特許文献１】特許公開２００６−１４６４９号広報
【発明の開示】
【発明が解決しようとする課題】
【０００３】  上述の如く、従来の固定用のリードを使用する場合、そのリードの長さが限定されているために、ペットがリード長さより短い内側を歩くとリードは弛み、建屋内で繋ぐ場合には床などに傷を付けたり、あるいは、建屋外の庭、駐車場などの広い場所では地面と接触、擦って地面に凹みができて雨水が溜まったり、埃が発生したり、芝生などを傷付ける原因となる。【０００４】  また、従来の固定用のリードは、ペットが突然走り出した場合（例えば、人に飛び掛るなどの動作）、そのリードの長さ範囲内であればペットは自在に走ることができ、リードが伸びるのを防止するようになっていない。このような場合、リードが金属製であると、相手物（例えば、駐車場などの自動車のボディなど）に傷を付ける恐れがある。
【課題を解決するための手段】
【０００５】  上述課題を解決するために、本発明は次のような構成を有する。
ペットを繋ぐためのリードは、リールに内蔵されたゼンマイなどの弾性体によって、前記リードを巻き取ることができる固定用リール式のペット用伸縮リードである。【０００６】  したがって、ペットを繋ぐリードはペットの歩行する位置に従って自動的に引出されたり、巻き取られたりすることができるために、ペットが歩行している間は常にリードは適度な負荷で引っ張られていて、リードが弛むことのない固定用リール式のペット用伸縮リードである。【０００７】  前記固定用リール式のペット用伸縮リードにおいて、ペットの突然の動きに対してリールの動きを制止することができ、その後ペットが静止すると自動的に制止が解除される、ロック機構を有する固定用リール式のペット用伸縮リードである。【０００８】  固定用リール式のペット用伸縮リードにおいて、本体とそれを固定する支柱は、本体の軸に挿入されており、軸と支柱との間には一定の隙間を有していて、前記リードがペットの動きによって急激に引出された場合において、本体が容易に回転できる固定用リール式のペット用伸縮リードである。【０００９】  上記の固定用リール式のペット用伸縮リードを成就させるために、それに使用されるリードはリールに巻き易く、強度に優れ、耐熱耐水性に優れた材質の丸状、及び平状の紐を使用するものである。
【発明の効果】
【００１０】  以上説明したように本発明によれば、固定用リール式のペット用伸縮リードにおいては、リードがペットの歩行位置に従って自動的に引出されたり、巻き取られたりすることができるために、前記リードは弛むことがないために、ペットを繋げておく建屋内の床を傷付けることがなく、また、建屋外の庭、駐車場などの広い場所では、地面と接触して地面に凹みができて雨水が溜まったり、埃が発生したり、芝生などを傷付けるなどの原因をなくすことができる。【００１１】  また、繋ながれたペットが突然に何かに驚いたり、幼児などに飛びつこうとした場合などにおいて、リードが巻かれているリールのロック機構が作動して、前記リードが引出されるのを制止することができる。その後、ペットが静止するとロック機構は解除されてリードは再度自在に引出されたり、巻き取られたりすることができる。【００１２】  固定用リール式のペット用伸縮リードにおいては、本体を支える支柱と本体の軸、軸とケーシング及びケーシングとリールとの各々の間には適度な隙間が設けられており、ペットの歩行にあわせて自在に本体とリードが回転することができる。【００１３】  ペットを繋ぐリードは、リールに巻き易く、強度に優れ、耐熱耐水性に優れた材質の丸状、及び平状の紐を使用することによって、リールの回転の動きを円滑にし、固定用リール式のペット用伸縮リードの寿命を延ばすことができる。
【発明を実施するための最良の形態】
【００１４】  以下、本発明の実施の形態を図面に基づき詳細に説明する。【００１５】  図１は本発明の実施の形態に係る、固定用リール式のペット用伸縮リード５０の説明に一部を透視した平面図を示す。図２は図１の正面図を示す。図３は図２の固定用の軸が地面に打ち込む方式の例であるのに対して、建屋内用に固定軸の先に吸盤１３を取付けた方式例を示す。図４は図２における簡略化したＡ−Ａ断面図を示す。図５〜図８は固定用リール式のペット用伸縮リード５０のケーシング１の上部、下部に滑り用の突起２６を付けた例を示す。【００１６】  図１、図４に示すように、固定用リール式のペット用伸縮リード５０にはケーシング１のリール１６に、先端にはペットの首輪等などに接続している紐状のリード２が繋がっており、リード２はリール１６に巻き取られて内蔵されている。リール１６はリール１６と一体のリール軸２２にゼンマイ１４の内周部の爪が、そしてゼンマイ１４の外周部の爪はケーシング１にそれぞれ固定されており、ゼンマイ１４によってリール１６は巻取り力が得られリード２が巻かれている。これによってケーシング１にはリール１６に幾重にも巻き取られたリード２１が内蔵されている。【００１７】  また、リード２は先端にペットの首輪等に接続しているため、ペットが歩行すると、それに伴って必要な長さのリード２が引出されると、リール１６とリール軸２２は一体のためにゼンマイ１４が巻かれ、リード２に巻取り力が作動する。その後、ペットが固定用リール式のペット用伸縮リード５０に近づくとリード２は巻き取られる。こうすることによってリード２は常にペットの歩行に合わせてリード２を巻き取ったり、引出したりすることができる。【００１８】  ここで、リード２はリール１６から引出されているときは常にペットに巻取り力相当の負荷が加わっている。したがって、巻取り力が非常に大きいとペットの首等に負荷がかかりペットは不快を感じるため、リール１６の巻取り力は、ペットの大きさにもよるが５Ｎから１００Ｎの力が好ましい。【００１９】  図１に示すように、固定用リール式のペット用伸縮リード５０のリール１６の両側面にはリール側板１８、ウェイト６、爪７及びねじりコイルばね８が内蔵されていて、両リール側板１８の外周部には図１に示すような鋸状のラック５が加工されている。また、図４に示すように、ウェイト６、爪７及びねじりコイルばね８は支持軸１５によってケーシング１で支持されている。また、図１のねじりコイルばね８のばね先端２３はケーシング１の側面の壁に、ばね後端２４は爪７に引っ掛かっており、通常すなわち固定用リール式のペット用伸縮リード５０が静止しているときやペットがゆっくりとした走り出しや一定速の歩行をしているときは図１の破線で示す様な状態を維持している。【００２０】  しかしながら、ペットが突然走り出したりした場合には、ペットの首輪等に接続しているリード２が引っ張られリール１６が回転しようとするが、リール１６はゼンマイ１４の内周側の端部と連結しており、ゼンマイ１４の外周側の端部はケーシング１に連結されているため、ゼンマイ１４を回そうとする回転力は、固定用リール式のペット用伸縮リード５０が固定用支柱３を回る回転力よりも大きく���るように設定されているため、リード２がペットに引っ張られると先に固定用リール式のペット用伸縮リード５０が回転する。固定用リール式のペット用伸縮リード５０が回転するとウェイト６に遠心力が発生して、ウェイト６はケーシング１の壁側に移動し、ウェイト６と一体の爪７がケーシング１の中心側に移動することによって、爪７がリール側板１８のラック５に噛み込み、ケーシング１とリール１６は一体となって、ペットは制止される。【００２１】  固定用リール式のペット用伸縮リード５０はペットが静止した後、ペットが引っ張る力を止めるまでロック機構は作動し、ペットが引っ張る力を解除したとき、ラック５に喰い込んでいる爪７はねじりコイルばね８によって戻され、フリー状態となる。【００２２】  上記に示すように、ロック機構が作動するためには固定用リール式のペット用伸縮リード５０が自在に回転しなければならない。そのためには、固定用リール式のペット用伸縮リード５０を支えている上部押え板９と下部押え板１０との隙間１１は０．１〜１．０ｍｍとし、ケーシング１を支えている固定用支柱３とケーシング１の固定用支柱挿入穴２５には０．１〜１．０ｍｍの隙間を持たせることが必要となる。また、ケーシング１とリール軸２２との間にも０．１〜１．０ｍｍの隙間を持たせることが必要である。さらに、図５に示すようなケーシング１には滑り用突起２６を設けることが好ましい。図５〜図８は好ましい突起の例を示す。なお、図１〜図４に示された図は突起の無い例である。【００２３】  上記の説明から察せられるように、本発明に使用される最良のリード２の種類は、本機能を最大限発揮させるためには繊維状でできた丸状、平状の紐で強度に強く、耐熱耐水性に優れた材料を選定する必要がある。例えば、ナイロン繊維、ポリプロピレン繊維及びアラミド繊維などが好ましい。
【産業上の利用可能性】
【００２４】  本発明は建屋内や庭などの屋外でペットを固定しておくためのリード製造、販売する産業分野で利用することができる。
【図面の簡単な説明】
【００２４】
【図１】  本発明に実施の形態に係る固定用リール式のペット用伸縮リードの一部を透視した平面図である。
【図２】  図１の固定用リール式のペット用伸縮リードの正面図である。
【図３】  図２の固定用の軸が地面に打ち込む方式の例であるのに対して、建屋内用に固定軸の先に吸盤を取付けた方式例を示す。
【図４】  図２における簡略化したＡ−Ａ断面図を示す。
【図５】  図４の固定用リール式のペット用伸縮リードを回転しやすくするために、ケーシングの上部、下部にある幅を持った四角形状の突起を円周上に設けた例を示す。
【図６】  図５の四角形状の突起を部分的に円周上に設けた例を示す。
【図７】  図５の四角形状の突起を半円形状にして円周上に設けた例を示す。
【図８】  図７の半円形状の突起を部分的に円周上に設けた例を示す。
【符号の説明】
１  ：  ケーシング
２  ：  リード
３  ：  固定用支柱
４  ：  固定用ナット
５  ：  ラック
６  ：  ウェイト
７  ：  爪
８  ：  ねじりコイルばね
９  ：  上部押え板
１０：  下部押え板
１１：  隙間
１２：  アンカー
１３：  吸盤
１４：  ゼンマイ
１５：  支持軸
１６：  リール
１７：  尖った先端
１８：  リール側板
１９：  リード出口
２０：  滑り板
２１：  巻き取られたリード
２２：  リール軸
２３：  ばね先端
２４：  ばね後端
２５：  固定用支柱挿入穴
２６：  滑り用突起
５０：  固定用リール式のペット用伸縮リード
【図１】
2008061631.tif 000003
【図２】
2008061631.tif 000004
【図３】
2008061631.tif 000005
【図４】
2008061631.tif 000006
【図５】
2008061631.tif 000007
【図６】
2008061631.tif 000008
【図７】
2008061631.tif 000009
【図８】
2008061631.tif 000010